(57)【要約】本発明は、架線支持体および／または支持杭基礎の施工のための新しいモジュラ型システムにあり、基礎建築工程を施工段階において無制御の変動を受けにくくすることを目的とし、かつ従来の現場基礎と比較してこの種の基礎の技術的および質的な特徴を改善することを目的とする。本発明は、プレハブ方式のモジュール（タイプＡ、ＢおよびＣ）から成り、それらは、異なる幾何的特徴を有し、かつ、必要とされる杭の種類、および、完成したブロック層を固定してブロックの一体性を回復させるのに使用される鋼棒によって、全ての基礎施工要求条件を満たすように異なるパターンに従って構成されることができる。【選択図】図１
2008519924.tif 000002
【特許請求の範囲】
【請求項１】
３タイプのプレハブ方式のモジュール（Ａ、Ｂ、Ｃ）からなる、丸棒鋼（Ｄ）による架線支持体および／または支持杭基礎の施工のためのモジュラ型システムであって、
タイプＡモジュールが、ブロックそれ自体の一体性を回復させる完成したブロック固着棒鋼の設置のための４つの穴（各々の角に１つ）を備えており、および前記モジュールの移動のために必要なジャックノッチ部を備えている、モジュールＢおよびＣに対するベースとして使用されるプレハブ方式のブロックであり、
タイプＢモジュールが、設置されるべき杭に従い必要とされる基礎の深さに到達するのに十分に大きな数で使用される、ブロックそれ自体の一体性を回復させる完成したブロック固定棒の布設用の４つの穴（各々の角に１つ）と、モジュールの移動のために必要なジャックノッチ部と、杭を設置するための中心穴と、接地ケーブル溝とを備えた、タイプＡモジュールに対して上層として使用されるプレハブ方式のブロックであり、
タイプＣモジュールが、ブロックそれ自体の一体性を回復させる完成したブロック固定棒の布設用の４つの穴（各々の角に１つ）と、モジュールの移動のために必要なジャックノッチ部と、杭を設置するための中心穴と、雨の停滞を防ぐ表面の傾斜と、を備えている、新生のブロックの最上位で使用されるプレハブ方式のブロックであり、
丸棒鋼が、前記モジュールＡ、ＢおよびＣの各々の角穴に挿入される丸い部品であり、
各々の部品が、次いで、全てのブロック層の固着（「モジュール結束」）およびブロックそれ自体の一体性の回復を可能にするために低圧で注入される高密着膨張性グラウトによって中空空間を充填することによって固定される、架線支持体および／または支持杭基礎の施工のためのモジュラ型システム。 
【請求項２】
前記プレハブ方式のモジュールの構成および組合せに由来する総モジュール性によって特徴付けられる、請求項１に記載の架線支持体および／または支持杭基礎の施工のためのモジュラ型システム。
【請求項３】
使用される杭の種類に従い基礎技術要求条件を満たす前記正しい数のタイプＢのプレハブ方式のモジュールの構成および組合せから生じる全体の一般性によって特徴付けられる、先行する請求項に記載の架線支持体および／または支持杭基礎の施工のためのモジュラ型システム。
【請求項４】
前記形成されたモジュール穴に挿入され、次いで、全てのブロック層の固着（「モジュール結束」）と前記ブロックそれ自体の一体性の回復とを可能にする、低圧で注入される高密着膨張性グラウトを使用して固定される鋼棒の使用によって特徴付けられる、先行する請求項に記載の架線支持体および／または支持杭基礎の施工のためのモジュラ型システム。
【請求項５】
高度の技術的および質的特徴によって基礎ブロックの施工を確実にするプレハブ部品の使用によって特徴付けられる、先行する請求項に記載の架線支持体および／または支持杭基礎の施工のためのモジュラ型システム。
【請求項６】
前記基礎ブロックに対する前記支持および／または杭の保証されたセンタリングによって特徴付けられる、先行する請求項に記載の架線支持体および／または支持杭基礎の施工のためのモジュラ型システム。
【請求項７】
前記支持杭挿入深さを制御する可能性によって特徴付けられる、先行する請求項に記載の架線支持体および／または支持杭基礎の施工のためのモジュラ型システム。
【請求項８】
従来の現場技術と比較してより短い施工時間を確実にするプレハブ部品の使用によって特徴付けられる、先行する請求項に記載の架線支持体および／または支持杭基礎の施工のためのモジュラ型システム。
【請求項９】
容易な施工工程によって特徴付けられる、先行する請求項に記載の架線支持体および／または支持杭基礎の施工のためのモジュラ型システム。
【請求項１０】
新生の基礎を構築するために前記ブロックの最上部にモジュールＣを設置する可能性によって特徴付けられる、先行する請求項に記載の架線支持体および／または支持杭基礎の施工のためのモジュラ型システム。
【請求項１１】
ｃａｃ、トタン板、異なるメタル、木材、樹脂およびいくつかの組合せ材料でできている杭の可能な使用によって特徴付けられる、先行する請求項に記載の架線支持体および／または支持杭基礎の施工のためのモジュラ型システム。
【請求項１２】
コンクリートの気乾材処理および不活性材料分離に関する問題の無いことによって特徴付けられる、先行する請求項に記載の架線支持体および／または支持杭基礎の施工のためのモジュラ型システム。
【請求項１３】
現場地質工学的特徴に関係なく、要求仕様に従う前記基礎施工によって特徴付けられる、先行する請求項に記載の架線支持体および／または支持杭基礎の施工のためのモジュラ型システム。
【発明の詳細な説明】
【技術分野】
【０００１】
本発明は、モジュラ型建築セクターに関する。特に、それは架線支持体および／または支持杭基礎の施工のための新しいモジュラ型システムにある。
【背景技術】
【０００２】
架線支持体および／または支持杭基礎の施工のために使用される現在のシステムは、人手掘削あるいは機械掘削、注入パイプの配置、人手コンクリート吐出、機械的手段による杭の布設、の異なる段階を通して、現場で基礎を完全に実現する点にある。
このようなシステムは、以下の重大な局面を呈する：基礎ブロックに対する注入パイプのセンタリングミス、地面への杭布設のより下の深さに至る掘削ベースと注入パイプベースの間の距離の不遵守、通常現場で準備され、あるいはウェアハウスで購入され、そして次に、建築工事現場に運ばれる、コンクリートの品質上の制御の困難さ、コンクリートの吐出による注入パイプの移動の可能性、基礎ブロック壁のずれ補正の困難さ、雨が流れるのを妨げる傾斜の実現によるブロック表面欠陥出現の可能性。
このような問題は、異なるセクターではあるが、特許出願Ｎ°ＵＳ６１７８７１４およびＮ°ＵＳ２００４０００１１４において部分的に取扱われ、かつ解決されている。
出願Ｎ°ＵＳ６１７８７１４は、均一なコンクリートベース、垂直ポールおよび／または柱を挿入して固定するための、規則正しく間隔を置いて配置された穴、各々が一つ以上の固定穴を設けられた一連の標準寸法ブロック、一旦挿入されたならば、隣のブロックの組立体用の係止部品を表し、したがって、コンクリートの使用を必要としない、かつ、分解するのが容易な壁を形成する、一連の固定柱およびポール、から成る着脱可能なモジュラ型構造物の施工用のシステムに関する。
出願Ｎ°ＵＳ２００４０００１１４は、一連の通路を備えている半仕上げの物体からなるブロック建造用のモジュラ型システムに関する。半仕上げの物体は、プラスチックでできていて、台、基礎、梁、壁および屋根を構築するためにコンクリートあるいは強化材鋼棒で充填されることができる。
しかし、現在の施工工法もこれらの２つの特許出願も、上述した重大な局面を解決しない。
【発明の開示】
【０００３】
本発明は、架線支持体および／または支持杭基礎の施工のための新しいモジュラ型システムに存在し、既存のシステムの全ての問題および欠点を克服することを目的とする。
特に、この新しいシステムは、上述した重大な局面を引き起こす布設段階における無制御の変動を受けにくくすることによって基礎施工の工程を効率的かつ効果的にすることを目的とする。
本発明は、３つのタイプ（Ａ、Ｂ、Ｃ）のプレハブ方式モジュールから成り、それらは、異なる幾何的特徴を有し、かつ、必要とされる杭の種類、および、完成したブロック層を固定してブロックの一体性を回復させるのに使用される鋼棒によって、全ての基礎施工要求条件を満たすように以下の異なるパターンから構成されることができる。ここで、上述したモジュールの建築特徴が続く。
・タイプＡモジュール：ブロックそれ自体の一体性を回復させる完成したブロック固定棒の布設用の４つの穴（各々の角に１つ）と、モジュールの移動のために必要なジャックノッチ部とを備えている、モジュールＢおよびＣに対するベースとして使用されるプレハブ方式のブロック、
・タイプＢモジュール：タイプＡモジュールに対する上層として使用されるプレハブ方式のブロック。タイプＢモジュールは、設置されるべき杭に従い必要とされる基礎の深さに到達するのに十分に大きな数で使用される。タイプＢモジュールは、ブロックそれ自体の一体性を回復させる完成したブロック固定棒の布設用の４つの穴（各々の角に１つ）と、モジュールの移動のために必要なジャックノッチ部と、杭を設置するための中心穴と、接地ケーブル溝とを備えている。
・タイプＣモジュール：新生のブロックの最上位で使用されるプレハブ方式のブロック。タイプＣモジュールは、ブロックそれ自体の一体性を回復させる完成したブロック固定棒の布設用の４つの穴（各々の角に１つ）と、モジュールの移動のために必要なジャックノッチ部と、杭を設置するための中心穴と、雨が流れるのを可能にする表面の傾斜と、を備えている。
・鋼棒：モジュールＡ、ＢおよびＣの角穴の各々に挿入される丸い部品。各々の部品は、次いで、全てのブロック層の固着（「モジュール結束」）およびブロックそれ自体の一体性の回復を可能にするために低圧で注入される高密着膨張性グラウトによって中空空間を充填することによって固定される。
本発明の主要な特徴は、プレハブ部品を組み立てることによって、従来の現場技術と比較して基礎施工を改善して、簡単にするそのモジュール性である。本発明はブロック基礎の施工を可能にする高度の技術的質的なプロファイル、そして、従来の技術から生じる全ての問題および重大な局面を解決する。
本発明の利点は、
１．本発明の総モジュール性は、正しい総数のプレハブ方式のモジュールを使用して、設置されるべき杭に従い、必要とされる基礎の深さに達することを可能にする。
２．基礎ブロックの高度の技術的質的プロファイル。
３．杭のセンタリングおよび雨流れに対する正しい傾斜の生成を可能にする容易な設置。
４．支持杭の挿入深さの制御。
５．コンクリート生産プラントで直接製造される際にモジュール建造に使用されるコンクリートの品質の科学的制御。
６．コンクリートの乾燥問題無し。コンクリートは、吐出されて２８日後にのみ「仕上がった」とみなされることができ、したがって、これらの２８日以前の基礎ブロックに影響を及ぼす全ての応力はコンクリートの構成部品の離解に至る可能性がある。
７．コンクリートの硬化のための待ち時間無し。
８．不活性材料分離無し。
９．起伏の多い現場内に施工される基礎ブロックの品質が、水平面に施工される基礎ブロックのそれと同じであるために作業現場に起因する問題が無い。
１０．減少した施工時間。
上述した利点は、同封の図面の説明においてより明らかになるであろう。
本発明は、与えられた説明に限定されるものでなく、本特許の範囲外に存在せずに変更されることができる。
この発明は、いくつかの利点を有しており、ユーザーがもし現在利用可能なシステムを使用するならば、解決されることができない複数の問題を克服することを可能にする。
【図面の簡単な説明】
【０００４】
【図１】基礎施工のためのモジュール組成物レイアウトの３次元図を示す：モジュールＡ（ベースとして働く）（Ａ）、一つ以上のモジュールＢ層（Ｂ）、モジュールＣ  （Ｃ）およびモジュールを接続し、ブロックの一体性を回復させる棒鋼（Ｄ）。
【図２】棒鋼挿入孔（Ｅ）およびモジュール移動ジャック（Ｆ）を特徴とする、タイプＡモジュールの３次元図および長手方向の断面を示す。
【図３】図２におけると同じ穴（Ｅ）およびジャック（Ｆ）、杭挿入用の中心穴（Ｇ）および接地ケーブル溝（Ｈ）を特徴とするタイプＢモジュールの３次元図および長手方向の断面を示す。
【図４】前の図におけるのと同じ穴（Ｅ）およびジャック（Ｆ）、中心穴（Ｇ）、および雨流れ用の傾斜した（Ｌ）表面（Ｉ）を特徴とするタイプＣモジュールの３次元図および長手方向の断面を示す。
【図１】
2008519924.tif 000003
【図２】
2008519924.tif 000004
【図３】
2008519924.tif 000005
【図４】
2008519924.tif 000006
【国際調査報告】
2008519924.tif 000007
2008519924.tif 000008